(57)【要約】【課題】工具の回転によって加工を行う電動工具において、モータが所定の回転数に達した時点で加工を停止できるようにする。【解決手段】加工具が装着されるチャックと、該チャックに接続されたモータと、該モータの駆動と停止とを行うスイッチとを少なくとも含む電動ドリルに、モータの回転に追随してリズムを刻むリズム生成手段３７を備える。作業者は、音が鳴る回数や、そのリズムによって、加工具の回転数を把握することができ、所望の加工のための適正な回転数をリズムによって覚えることができるため、過剰に加工しすぎるのを防止することができる。【選択図】図２
2013180360.tif 000002
【特許請求の範囲】
【請求項１】
電動ドリルであって、
加工具が装着されるチャックと、該チャックに接続されたモータと、該モータの駆動と停止とを行うスイッチとを少なくとも含み、
該モータの回転に追随してリズムを刻むリズム生成手段を備えた電動ドリル。
【発明の詳細な説明】
【技術分野】
【０００１】
本発明は、モータによって駆動されて加工具が回転する電動ドリルに関する。
【背景技術】
【０００２】
構造物を組み立てたり分解したりする際には、電動ドリルが使用される。電動ドリルは、加工具が装着されるチャックと、チャックに接続されたモータと、モータに供給する電力のオン／オフを行うスイッチとを備えており、チャックには、ドリル刃、タップ、回転砥石等の加工具が装着され、それぞれの加工具が回転することによって加工が行われる。
【０００３】
上記加工具を用いて所望の加工を行うためには、スイッチを操作してモータを適切なタイミングでオン又はオフさせることが必要である。例えば、タップを用いて穴の内側の面に雌ネジを形成する際には、スイッチをオフにするタイミングが遅くなると、形成した雌ねじにタップを構成するシャンクが侵入し、雌ネジを損傷させるという問題が生じる。また、チャックにカサバ工具を装着し、カサバ工具を用いてボルト等を挿入するための挿入口の周りを面取り加工する際には、カサバ工具が必要以上に回転すると、挿入口が広くなりすぎるという問題が生じる。そこで、モータに回転数を設定しておき、その回転数に達すると自動的に回転を停止させて加工を終了する電動工具が提案されている（例えば、特許文献１参照）。
【先行技術文献】
【特許文献】
【０００４】
【特許文献１】特開平７−１００７７０号公報
【発明の概要】
【発明が解決しようとする課題】
【０００５】
しかし、モータの回転数を設定し、その回転数に達した時に回転を停止させるためには、回転数をカウントするためのセンサ等が必要となり、構造が比較的複雑になるとともに高価になるという問題がある。また、所定の回転数に達した時にモータの回転を止めようとしても、慣性力により、必ずしも設定した回転数で停止しないという問題もある。
【０００６】
本発明は、このような問題にかんがみなされたもので、工具の回転によって加工を行う電動工具において、モータが所定の回転数に達した時点で加工を停止できるようにすることを課題とする。
【課題を解決するための手段】
【０００７】
本発明は、電動ドリルに関し、加工具が装着されるチャックと、該チャックに接続されたモータと、該モータの駆動と停止とを行うスイッチとを少なくとも含み、モータの回転に追随してリズムを刻むリズム生成手段を備えていることを特徴とする。
【発明の効果】
【０００８】
本発明は、モータの回転に追随してリズムを刻むリズム生成手段を備えているため、作業者は、音が鳴る回数や、そのリズムによって、加工具の回転数を把握することができる。したがって、所望の加工のための適正な回転数をリズムで覚えることができるため、過剰に加工しすぎるのを防止することができる。
【図面の簡単な説明】
【０００９】
【図１】電動ドリルの一例を示す正面図である。
【図２】電動ドリルを構成する鈴棒及び鈴を略示的に示す断面図である。
【図３】鈴棒の接触端が鈴に接触した状態を略示的に示す断面図である。
【発明を実施するための形態】
【００１０】
図１に示す電動ドリル１は、加工具３３が回転することにより穴あけ、ネジ切り等を行う電動工具であり、作業者によって把持される把持部２と、把持部２と連結された本体部３とから構成されている。
【００１１】
把持部２には、電源のオンとオフとを切り替えるスイッチ２０が設けられている。一方、本体部３は、筐体３０の中にモータ３１を内蔵しており、スイッチ２０をオンにすることによりモータ３１を駆動し、スイッチ２０をオフにすることによりモータ３１を停止させることができる。
【００１２】
筒体３０の一端からは、チャック３２が突出している。チャック３２には加工具３３が装着される。加工具３３としては、ドリル、タップ、研削工具等がある。また、筒体３０の一端には、加工具３３のトルクを調整するトルク調整部３４が設けられている。
【００１３】
モータ３１の回転軸は、両端側から突出しており、先端側軸部３１０と後端側軸部３１１とを備えている。先端側軸部３１０は、チャック３２と接続されており、モータ３１は、チャック３２に装着された加工具３３を回転させることができる。
【００１４】
図２に示すように、後端側軸部３１１の先端部には、外周側に向けて鈴棒３５が突出して形成されている。鈴棒３５の先端部には、例えば球または楕円体に形成された接触端３５０が形成されている。
【００１５】
鈴棒３５は、鈴３６に収容されている。鈴３６は、モータ３１側が開口した桶状に形成されており、内周面３６０の一部が内周側に突出した突出部３６１が形成されている。突出部３６１は、他の物体と接触して振動すると音を鳴らす機能を有している。後端側軸部３１１の回転中心から突出部３６１の先端までの距離Ｒ２は、後端側軸部３１１の回転中心から接触端３５０の先端までの距離Ｒ１よりも小さくなっており、後端側軸部３１１が回転すると、図３に示すように、鈴棒３５の接触端３５０が鈴３６の突出部３６１に接触して音を鳴らす。すなわち、少なくとも鈴棒３５と鈴３６とで、モータ３１の回転に追随してリズムを刻むリズム生成手段３７を構成する。鈴３６の外側面にはバネ３８の一端が連結されており、バネ３８の他端は筐体３０の内側面に連結されている。
【００１６】
以上のように構成される電動ドリル１において、スイッチ２０をオンにすると、先端側軸部３１０及び後端側軸部３１１が回転し、加工具３３が所定の回転速度で回転する。例えば加工具３３がタップである場合は、タップを穴に挿入することにより、穴の内周面に雌ネジを形成することができる。なお、トルク調整部３４を回転させることにより、あらかじめトルクを調整しておく。
【００１７】
モータ３１がオンになって後端側軸部３１１が回転すると、１周当たり１回、鈴棒３５の接触端３５０が鈴３６の突出部３６１に接触して音を鳴らす。モータ３１が回転し続ける間は、鈴３６は、一定のリズムで（一定の間隔で）音を鳴らし続ける。鈴３６の突出部３６１に鈴棒３５の接触端３５０が接触すると、バネ３８の作用によって鈴３６が揺動するため、接触端３５０が突出部３６１に引っかかることなく鈴棒３５が回転を続けることができる。なお、バネ３８に代えて、鈴棒３５の内部にバネを設け、接触端３５０が突出部３６１に接触した時に接触端３５０が没入するように構成しても、接触端３５０が突出部３６１に引っかかることなく鈴棒３５が回転を続けることができる。
【００１８】
電動ドリル１の作業者は、音が鳴る回数や、そのリズムを聞くことによって、加工具３３の回転数を把握することができる。したがって、穴の内周に雌ネジを形成する際の加工具３３の適正な回転数や、穴の挿入口の面取り加工をする際の適正な回転数を、リズムで覚えることができるため、過剰に加工しすぎるのを防止することができる。
【００１９】
なお、リズム生成手段３７は、上記例には限定されない。例えば、スイッチ２０のオンによってＳＤカードに収録された音楽を奏でるようにしてもよい。
【符号の説明】
【００２０】
１：電動ドリル
２：把持部  ２０：スイッチ
３：本体部
３０：筐体
３１：モータ  ３１０：先端側軸部  ３１１：後端側軸部
３２：チャック  ３３：加工具  ３４：トルク調整部
３５：鈴棒  ３５０：接触端
３６：鈴  ３６０：内周面  ３６１：突出部
３７：リズム生成手段  ３８：バネ
【図１】
2013180360.tif 000003
【図２】
2013180360.tif 000004
【図３】
2013180360.tif 000005